(57)【要約】【課題】自動運転の度合の遷移状態に応じて、乗員に対して腕を休める環境が提供可能とすることを目的の一つとする。【解決手段】車両の加減速および操舵のうち少なくとも一方を自動的に制御する自動運転制御部であって、自動運転の度合が異なる複数のモードの何れかで自動運転制御を行う自動運転制御部と、シートの位置及びシートの角度を変更せず、前記自動運転の度合に応じて前記車両の乗員が着座するシートのアームレストの長さを伸縮する位置制御部と、を備える。【選択図】図２
2020117218.tif 000002
【特許請求の範囲】
【請求項１】
車両の加減速および操舵のうち少なくとも一方を自動的に制御する自動運転制御部であって、自動運転の度合が異なる複数のモードの何れかで自動運転制御を行う自動運転制御部と、
シートの位置及びシートの角度を変更せず、前記自動運転の度合に応じて前記車両の乗員が着座するシートのアームレストの長さを伸縮する位置制御部と、
を備える車両制御システム。
【請求項２】
前記位置制御部は、前記自動運転の度合が高い状態から低い状態に遷移する場合に、前記アームレストの先端側部をステアリングホイールから所定の距離よりも離れた第２位置から、前記所定の距離だけ離れた第１位置まで移動させる
請求項１記載の車両制御システム。
【請求項３】
前記位置制御部は、前記ステアリングホイールが乗員によって把持されたことを検出するセンサから得られる検出信号に基づいて、前記ステアリングホイールが乗員によって把持されたことが検出された場合に、前記先端側部を前記第１位置から前記第２位置まで移動させる
請求項２記載の車両制御システム。
【請求項４】
前記位置制御部は、前記先端側部を前記第２位置から前記第１位置まで移動させるまでの間の少なくとも一部の期間において、前記先端側部の高さを下方に移動させた後、上方に移動させる
請求項２又は３記載の車両制御システム。
【請求項５】
前記アームレストは、前記シートの右側および左側にそれぞれ設けられ、
前記位置制御部は、前記第２位置から前記第１位置に移動するまでの間の一部の期間において、前記先端側部の位置がお互いに近づくように移動させる
請求項２から請求項４のいずれか１項に記載の車両制御システム。
【請求項６】
車載コンピュータが、
車両の加減速および操舵のうち少なくとも一方を自動的に制御する自動運転制御部であって、自動運転の度合が異なる複数のモードの何れかで自動運転制御を行う自動運転制御を行ない、
シートの位置及びシートの角度を変更せず、前記自動運転の度合に応じて前記車両の乗員が着座するシートのアームレストの長さを伸縮する、
車両制御方法。
【請求項７】
車載コンピュータに、
車両の加減速および操舵のうち少なくとも一方を自動的に制御する自動運転制御部であって、自動運転の度合が異なる複数のモードの何れかで自動運転制御を行う自動運転制御を行ない、
シートの位置及びシートの角度を変更せず、前記自動運転の度合に応じて前記車両の乗員が着座するシートのアームレストの長さを伸縮する、
処理を実行させるための車両制御プログラム。
【発明の詳細な説明】
【技術分野】
【０００１】
本発明は、車両制御システム、車両制御方法、および車両制御プログラムに関する。
【背景技術】
【０００２】
近年、目的地までの経路に沿って自車両が走行するように、自車両の加減速および操舵のうち、少なくとも一方を自動的に制御する技術（以下、「自動運転」という）についての研究が進められている。これに関連して、自動運転モードと手動運転モードとの間で運転モードを切り替えるにあたり、手動運転モードにおける運転席のリクライニング角度よりも、自動運転モードにおけるリクライニング角度を大きくする車両用運転支援装置がある（例えば、特許文献１参照）。この特許文献１では、自動運転モードに移行した際に、シートのリクライニング角度が変更されることで、運転モードの切り替えを容易に理解することできる。
一方で、自動運転の度合によっては、車両制御が自動的に行なわれるため、乗員は、車両の操作部を操作する必要がなく、ステアリングホイールから手を離すことも可能である。
【先行技術文献】
【特許文献】
【０００３】
【特許文献１】国際公開第２０１５／０１１８６６号
【発明の概要】
【発明が解決しようとする課題】
【０００４】
しかしながら、自動運転の度合によっては、乗員はステアリングホイールから手を離すことができるが、自動運転の度合に応じて、腕を休めるような環境を提供することで、乗員に対し、車両内におけるより快適な空間を提供できることが望ましい。
【０００５】
本発明は、このような事情に鑑みてなされたもので、その目的は、自動運転の度合に応じて、乗員に対して腕を休める環境が提供可能な車両制御システム、車両制御方法、および車両制御プログラムを提供することにある。
【課題を解決するための手段】
【０００６】
請求項１に記載の発明は、車両の加減速および操舵のうち少なくとも一方を自動的に制御する自動運転制御部（１２０）であって、シートの位置及びシートの角度を変更せず、前記自動運転の度合に応じて前記車両の乗員が着座するシートのアームレストの長さを伸縮する位置制御部（１７２）と、を備える車両制御システム（１００）である。
【０００７】
請求項２に記載の発明は、請求項１に記載の車両制御システムにおいて、前記位置制御部は、前記自動運転の度合が高い状態から低い状態に遷移する場合に、前記アームレストの先端側部をステアリングホイールから所定の距離よりも離れた第２位置から前記所定の距離だけ離れた第１位置まで移動させる。
【０００８】
請求項３に記載の発明は、請求項２に記載の車両制御システムにおいて、前記位置制御部は、前記ステアリングホイールが乗員によって把持されたことを検出するセンサから得られる検出信号に基づいて、前記ステアリングホイールが乗員によって把持されたことが検出された場合に、前記先端側部を前記第１位置から前記第２位置まで移動させる。
【０００９】
請求項４に記載の発明は、請求項２又は３記載の車両制御システムにおいて、前記位置制御部は、前記先端側部を前記第２位置から前記第１位置まで移動させるまでの間の少なくとも一部の期間において、前記先端側部の高さを下方に移動させた後、上方に移動させる。
【００１０】
請求項５に記載の発明は、請求項２から請求項４のいずれか１項に記載の車両システムにおいて、前記アームレストは、前記シートの右側および左側にそれぞれ設けられ、前記位置制御部は、前記第２位置から前記第１位置に移動するまでの間の一部の期間において、前記先端側部の位置がお互いに近づくように移動させる。
【００１１】
請求項６に記載の発明は、車載コンピュータが、車両の加減速および操舵のうち少なくとも一方を自動的に制御する自動運転制御部であって、自動運転の度合が異なる複数のモードの何れかで自動運転制御を行う自動運転制御を行ない、シートの位置及びシートの角度を変更せず、前記自動運転の度合に応じて前記車両の乗員が着座するシートのアームレストの長さを伸縮する、車両制御方法である。
【００１２】
請求項７に記載の発明は、車載コンピュータに、車両の加減速および操舵のうち少なくとも一方を自動的に制御する自動運転制御部であって、自動運転の度合が異なる複数のモードの何れかで自動運転制御を行う自動運転制御を行ない、シートの位置及びシートの角度を変更せず、前記自動運転の度合に応じて前記車両の乗員が着座するシートのアームレストの長さを伸縮する処理を実行させるための車両制御プログラムである。
【発明の効果】
【００１３】
請求項１、６、７に記載の発明によれば、自動運転の度合に応じて車両の乗員が着座するシートのアームレストの長さを伸縮するようにしたので、自動運転の度合の遷移状態に応じて、乗員に対して腕を休める環境を提供することができる。
【００１４】
請求項２に記載の発明によれば、自動運転の度合が高い状態から低い状態に遷移する場合に、アームレストの先端側部をステアリングホイールに近づけることができる。これにより、アームレストに載置された腕をステアリングホイールに近づけることで、乗員にたいし、ステアリングホイールを把持しやすい環境を提供することができる。
【００１５】
請求項３に記載の発明によれば、ステアリングホイールが乗員によって把持されたことを検出した場合に、アームレストの先端側部をステアリングホイールの近傍から離すように移動させることができる。これにより、乗員のステアリングホイールの操作の邪魔にならない位置にアームレストの位置を、乗員が操作することなく戻すことができる。
【００１６】
請求項４に記載の発明によれば、アームレストの先端側部をステアリングホイールに近い位置に近づけるにあたり、乗員の腕が載せられたアームレストの先端側部の高さを一端下げてから、上方に戻すようにしたので、乗員の腕を伸ばした後に、ステアリングホイールの近くに移動させることができる。
【００１７】
請求項５に記載の発明によれば、ステアリングホイールを把持させる際に、ステアリングホイールに近づけるまでの間に、シートの右側及び左側のアームレストのお互いの位置が近づくように移動させることができる。これにより、肩幅程度に広がっている乗員の両腕の距離をステアリングホイールの直径に近い距離にするように腕の位置を変更することができる。従って乗員の腕を、ステアリングホイールがより把持しやすい位置に案内することができる。
【図面の簡単な説明】
【００１８】
【図１】実施形態の車両制御システム１００が搭載される車両の構成要素を示す図である。
【図２】車両制御システム１００を中心とした機能構成図である。
【図３】ＨＭＩ７０の構成図である。
【図４】自車位置認識部１４０により走行車線Ｌ１に対する自車両Ｍの相対位置が認識される様子を示す図である。
【図５】ある区間について生成された行動計画の一例を示す図である。
【図６】軌道生成部１４６の構成の一例を示す図である。
【図７】軌道候補生成部１４６Ｂにより生成される軌道の候補の一例を示す図である。
【図８】軌道候補生成部１４６Ｂにより生成される軌道の候補を軌道点Ｋで表現した図である。
【図９】車線変更ターゲット位置ＴＡを示す図である。
【図１０】３台の周辺車両の速度を一定と仮定した場合の速度生成モデルを示す図である。
【図１１】自車両Ｍ内におけるアームレストについて説明するための図である。
【図１２】アームレスト本体８８Ａの第２状態について説明する図である。
【図１３】アームレスト本体８８Ａが第２状態である場合において、車両乗員Ｐの腕がアームレスト本体８８Ａに載せられた場合を表す図である。
【図１４】第１状態において車両乗員Ｐの腕がアームレスト上側部８８Ａ１に載せられた状態を表す図である。
【図１５】アームレスト本体８８Ａの第３状態を表す図である。
【図１６】アームレスト本体８８Ａの第４状態を表す図である。
【図１７】ＨＭＩ制御部１７０の構成の一例を示す図である。
【図１８】移行順序データの一例を示すデータテーブルである。
【図１９】ＨＭＩ制御処理の第１の実施例を示すフローチャートである。
【発明を実施するための形態】
【００１９】
以下、図面を参照し、本発明の車両制御システム、車両制御方法、および車両制御プログラムの実施形態について説明する。
【００２０】
＜共通構成＞
図１は、実施形態の車両制御システム１００が搭載される車両（以下、自車両Ｍと称する）の構成要素を示す図である。車両制御システム１００が搭載される車両は、例えば、二輪や三輪、四輪等の自動車であり、ディーゼルエンジンやガソリンエンジン等の内燃機関を動力源とした自動車や、電動機を動力源とした電気自動車、内燃機関および電動機を兼ね備えたハイブリッド自動車等を含む。電気自動車は、例えば、二次電池、水素燃料電池、金属燃料電池、アルコール燃料電池等の電池により放電される電力を使用して駆動される。
【００２１】
図１に示すように、自車両Ｍには、ファインダ２０−１から２０−７、レーダ３０−１から３０−６、およびカメラ（撮像部）９４０等のセンサと、ナビゲーション装置（表示部）５０と、車両制御システム１００とが搭載される。
【００２２】
ファインダ２０−１から２０−７は、例えば、照射光に対する散乱光を測定し、対象までの距離を測定するＬＩＤＡＲ（Light Detection and Ranging、或いはLaser Imaging Detection and Ranging）である。例えば、ファインダ２０−１は、フロントグリル等に取り付けられ、ファインダ２０−２および２０−３は、車体の側面やドアミラー、前照灯内部、側方灯付近等に取り付けられる。ファインダ２０−４は、トランクリッド等に取り付けられ、ファインダ２０−５および２０−６は、車体の側面や尾灯内部等に取り付けられる。上述したファインダ２０−１から２０−６は、例えば、水平方向に関して１５０度程度の検出領域を有している。また、ファインダ２０−７は、ルーフ等に取り付けられる。ファインダ２０−７は、例えば、水平方向に関して３６０度の検出領域を有している。
【００２３】
レーダ３０−１および３０−４は、例えば、奥行き方向の検出領域が他のレーダよりも広い長距離ミリ波レーダである。また、レーダ３０−２、３０−３、３０−５、３０−６は、レーダ３０−１および３０−４よりも奥行き方向の検出領域が狭い中距離ミリ波レーダである。
【００２４】
以下、ファインダ２０−１から２０−７を特段区別しない場合は、単に「ファインダ２０」と記載し、レーダ３０−１から３０−６を特段区別しない場合は、単に「レーダ３０」と記載する。レーダ３０は、例えば、ＦＭ−ＣＷ（Frequency Modulated Continuous Wave）方式によって物体を検出する。
【００２５】
カメラ４０は、例えば、ＣＣＤ（Charge Coupled Device）やＣＭＯＳ（Complementary Metal Oxide Semiconductor）等の固体撮像素子を利用したデジタルカメラである。カメラ４０は、フロントウインドシールド上部やルームミラー裏面等に取り付けられる。カメラ４０は、例えば、周期的に繰り返し自車両Ｍの前方を撮像する。カメラ４０は、複数のカメラを含むステレオカメラであってもよい。
【００２６】
なお、図１に示す構成はあくまで一例であり、構成の一部が省略されてもよいし、更に別の構成が追加されてもよい。
【００２７】
図２は、車両制御システム１００を中心とした機能構成図である。自車両Ｍには、ファインダ２０、レーダ３０、およびカメラ４０等を含む検知デバイスＤＤと、ナビゲーション装置５０と、通信装置５５と、車両センサ６０と、ＨＭＩ（Human Machine Interface）７０と、車両制御システム１００と、走行駆動力出力装置２００と、ステアリング装置２１０と、ブレーキ装置２２０とが搭載される。これらの装置や機器は、ＣＡＮ（Controller Area Network）通信線等の多重通信線やシリアル通信線、無線通信網等によって互いに接続される。なお、請求の範囲における車両制御システムは、「車両制御システム１００」のみを指しているのではなく、車両制御システム１００以外の構成（検知デバイスＤＤやＨＭＩ７０等）を含んでもよい。
【００２８】
ナビゲーション装置５０は、ＧＮＳＳ（Global Navigation Satellite System）受信機や地図情報（ナビ地図）、ユーザインターフェースとして機能するタッチパネル式表示装置、スピーカ、マイク等を有する。ナビゲーション装置５０は、ＧＮＳＳ受信機によって自車両Ｍの位置を特定し、その位置からユーザによって指定された目的地までの経路を導出する。ナビゲーション装置５０により導出された経路は、車両制御システム１００の目標車線決定部１１０に提供される。自車両Ｍの位置は、車両センサ６０の出力を利用したＩＮＳ（Inertial Navigation System）によって特定または補完されてもよい。また、ナビゲーション装置５０は、目的地に至る経路について音声やナビ表示によって案内を行う。なお、自車両Ｍの位置を特定するための構成は、ナビゲーション装置５０とは独立して設けられてもよい。また、ナビゲーション装置５０は、例えば、ユーザの保有するスマートフォンやタブレット端末等の端末装置の機能によって実現されてもよい。この場合、端末装置と車両制御システム１００との間で、無線または有線による通信によって情報の送受信が行われる。
【００２９】
通信装置５５は、例えば、セルラー網やＷｉ−Ｆｉ網、Ｂｌｕｅｔｏｏｔｈ（登録商標）、ＤＳＲＣ（Dedicated Short Range Communication）等を利用した無線通信を行う。通信装置５５は、例えば無線通信により接続される外部装置から交通情報（例えば、渋滞情報）や天候情報等を取得することができる。
【００３０】
車両センサ６０は、車速（走行速度）を検出する車速センサ、加速度を検出する加速度センサ、鉛直軸回りの角速度を検出するヨーレートセンサ、自車両Ｍの向きを検出する方位センサ等を含む。
【００３１】
図３は、ＨＭＩ７０の構成図である。ＨＭＩ７０は、例えば運転操作系の構成と、非運転操作系の構成とを備える。これらの境界は明確なものではなく、運転操作系の構成が非運転操作系の機能を備える（或いはその逆）ことがあってもよい。また、これらの運転操作系は、自車両Ｍの車両乗員（乗員）の操作を受け付ける操作受付部の一例である。また、非運転操作系には、インターフェース装置が含まれる。
【００３２】
ＨＭＩ７０は、運転操作系の構成として、例えばアクセルペダル７１、アクセル開度センサ７２およびアクセルペダル反力出力装置７３と、ブレーキペダル７４およびブレーキ踏量センサ（或いはマスター圧センサ等）７５と、シフトレバー７６およびシフト位置センサ７７と、ステアリングホイール７８、ステアリング操舵角センサ７９およびステアリングトルクセンサ８０と、その他運転操作デバイス８１とを含む。
【００３３】
アクセルペダル７１は、車両乗員による加速指示（或いは戻し操作による減速指示）を受け付けるための操作子である。アクセル開度センサ７２は、アクセルペダル７１の踏み込み量を検出し、踏み込み量を示すアクセル開度信号を車両制御システム１００に出力する。なお、車両制御システム１００に出力するのに代えて、走行駆動力出力装置２００、ステアリング装置２１０、またはブレーキ装置２２０に直接出力することがあってもよい。以下に説明する他の運転操作系の構成についても同様である。アクセルペダル反力出力装置７３は、例えば車両制御システム１００からの指示に応じて、アクセルペダル７１に対して操作方向と反対向きの力（操作反力）を出力する。
【００３４】
ブレーキペダル７４は、車両乗員による減速指示を受け付けるための操作子である。ブレーキ踏量センサ７５は、ブレーキペダル７４の踏み込み量（或いは踏み込み力）を検出し、検出結果を示すブレーキ信号を車両制御システム１００に出力する。
【００３５】
シフトレバー７６は、車両乗員によるシフト段の変更指示を受け付けるための操作子である。シフト位置センサ７７は、車両乗員により指示されたシフト段を検出し、検出結果を示すシフト位置信号を車両制御システム１００に出力する。
【００３６】
ステアリングホイール７８は、車両乗員による旋回指示を受け付けるための操作子である。ステアリング操舵角センサ７９は、ステアリングホイール７８の操作角を検出し、検出結果を示すステアリング操舵角信号を車両制御システム１００に出力する。ステアリングトルクセンサ８０は、ステアリングホイール７８に加えられたトルクを検出し、検出結果を示すステアリングトルク信号を車両制御システム１００に出力する。なお、ステアリングホイール７８に関する制御として、例えば反力モータ等によりステアリング軸にトルクを出力することで、ステアリングホイール７８に対して操作反力を出力してもよい。
【００３７】
その他運転操作デバイス８１は、例えば、ジョイスティック、ボタン、ダイヤルスイッチ、ＧＵＩ（Graphical User Interface）スイッチ等である。その他運転操作デバイス８１は、加速指示、減速指示、旋回指示等を受け付け、車両制御システム１００に出力する。
【００３８】
ＨＭＩ７０は、非運転操作系の構成として、例えば、表示装置（表示部）８２、スピーカ８３、接触操作検出装置８４およびコンテンツ再生装置８５と、各種操作スイッチ８６と、シート８８およびシート駆動装置８９と、ウインドウガラス９０およびウインドウ駆動装置９１と、車室内カメラ（撮像部）９５とを含む。
【００３９】
表示装置８２は、例えば、インストルメントパネルの各部、助手席や後部座席に対向する任意の箇所等に取り付けられる、ＬＣＤ（Liquid Crystal Display）や有機ＥＬ（Electro Luminescence）表示装置等である。また、表示装置８２は、フロントウインドシールドやその他のウインドウに画像を投影するＨＵＤ（Head Up Display）であってもよい。スピーカ８３は、音声を出力する。接触操作検出装置８４は、表示装置８２がタッチパネルである場合に、表示装置８２の表示画面における接触位置（タッチ位置）を検出して、車両制御システム１００に出力する。なお、表示装置８２がタッチパネルでない場合、接触操作検出装置８４は省略されてよい。
【００４０】
コンテンツ再生装置８５は、例えば、ＤＶＤ（Digital Versatile Disc）再生装置、ＣＤ（Compact Disc）再生装置、テレビジョン受信機、各種案内画像の生成装置等を含む。表示装置８２、スピーカ８３、接触操作検出装置８４およびコンテンツ再生装置８５は、一部または全部がナビゲーション装置５０と共通する構成であってもよい。上述した表示装置８２、スピーカ８３、コンテンツ再生装置８５、およびナビゲーション装置５０は、何れもインターフェース装置の一例であるが、これらに限定されるものではない。
【００４１】
各種操作スイッチ８６は、車室内の任意の箇所に配置される。各種操作スイッチ８６には、自動運転の開始（或いは将来の開始）および停止を指示する自動運転切替スイッチ８７を含む。自動運転切替スイッチ８７は、ＧＵＩ（Graphical User Interface）スイッチ、機械式スイッチの何れであってもよい。また、各種操作スイッチ８６は、シート駆動装置８９やウインドウ駆動装置９１を駆動するためのスイッチを含んでもよい。
【００４２】
シート８８は、車両乗員が着座する座席シートである。シート駆動装置８９は、シート８８のリクライニング角、前後方向位置、ヨー角等を自在に駆動する。また、シート駆動装置８９は、シート８８のアームレストの角度や位置を変更する。ウインドウガラス９０は、例えば各ドアに設けられる。ウインドウ駆動装置９１は、ウインドウガラス９０を開閉駆動する。
【００４３】
車室内カメラ９５は、ＣＣＤやＣＭＯＳ等の固体撮像素子を利用したデジタルカメラである。車室内カメラ９５は、バックミラーやステアリングボス部、インストルメントパネル等、運転操作を行う車両乗員の少なくとも頭部（顔を含む）を撮像可能な位置に取り付けられる。車室内カメラ９５は、例えば、周期的に繰り返し車両乗員を撮像する。
【００４４】
車両制御システム１００の説明に先立って、走行駆動力出力装置２００、ステアリング装置２１０、およびブレーキ装置２２０について説明する。
【００４５】
走行駆動力出力装置２００は、車両が走行するための走行駆動力（トルク）を駆動輪に出力する。走行駆動力出力装置２００は、例えば、自車両Ｍが内燃機関を動力源とした自動車である場合、エンジン、変速機、およびエンジンを制御するエンジンＥＣＵ（Electronic Control Unit）を備え、自車両Ｍが電動機を動力源とした電気自動車である場合、走行用モータおよび走行用モータを制御するモータＥＣＵを備え、自車両Ｍがハイブリッド自動車である場合、エンジン、変速機、およびエンジンＥＣＵと走行用モータおよびモータＥＣＵとを備える。走行駆動力出力装置２００がエンジンのみを含む場合、エンジンＥＣＵは、後述する走行制御部１６０から入力される情報に従って、エンジンのスロットル開度やシフト段等を調整する。走行駆動力出力装置２００が走行用モータのみを含む場合、モータＥＣＵは、走行制御部１６０から入力される情報に従って、走行用モータに与えるＰＷＭ信号のデューティ比を調整する。走行駆動力出力装置２００がエンジンおよび走行用モータを含む場合、エンジンＥＣＵおよびモータＥＣＵは、走行制御部１６０から入力される情報に従って、互いに協調して走行駆動力を制御する。
【００４６】
ステアリング装置２１０は、例えば、ステアリングＥＣＵと、電動モータとを備える。電動モータは、例えば、ラックアンドピニオン機構に力を作用させて転舵輪の向きを変更する。ステアリングＥＣＵは、車両制御システム１００から入力される情報、或いは入力されるステアリング操舵角またはステアリングトルクの情報に従って電動モータを駆動し、転舵輪の向きを変更させる。
【００４７】
ブレーキ装置２２０は、例えば、ブレーキキャリパーと、ブレーキキャリパーに油圧を伝達するシリンダと、シリンダに油圧を発生させる電動モータと、制動制御部とを備える電動サーボブレーキ装置である。電動サーボブレーキ装置の制動制御部は、走行制御部１６０から入力される情報に従って電動モータを制御し、制動操作に応じたブレーキトルクが各車輪に出力されるようにする。電動サーボブレーキ装置は、ブレーキペダルの操作によって発生させた油圧を、マスターシリンダを介してシリンダに伝達する機構をバックアップとして備えてよい。なお、ブレーキ装置２２０は、上記説明した電動サーボブレーキ装置に限らず、電子制御式油圧ブレーキ装置であってもよい。電子制御式油圧ブレーキ装置は、走行制御部１６０から入力される情報に従ってアクチュエータを制御して、マスターシリンダの油圧をシリンダに伝達する。また、ブレーキ装置２２０は、走行駆動力出力装置２００に含まれ得る走行用モータによる回生ブレーキを含んでもよい。
【００４８】
［車両制御システム］
以下、車両制御システム１００について説明する。車両制御システム１００は、例えば、一以上のプロセッサまたは同等の機能を有するハードウェアにより実現される。車両制御システム１００は、ＣＰＵ（Central Processing Unit）等のプロセッサ、記憶装置、および通信インターフェースが内部バスによって接続されたＥＣＵ（Electronic Control Unit）、或いはＭＰＵ（Micro-Processing Unit）等が組み合わされた構成であってよい。
【００４９】
図２に戻り、車両制御システム１００は、例えば、目標車線決定部１１０と、自動運転制御部１２０と、走行制御部１６０と、ＨＭＩ制御部１７０と、記憶部１８０とを備える。自動運転制御部１２０は、例えば、自動運転モード制御部１３０と、自車位置認識部１４０と、外界認識部１４２と、行動計画生成部１４４と、軌道生成部１４６と、切替制御部１５０とを備える。目標車線決定部１１０、自動運転制御部１２０の各部、および走行制御部１６０のうち一部または全部は、プロセッサがプログラム（ソフトウェア）を実行することにより実現される。また、これらのうち一部または全部は、ＬＳＩ（Large Scale Integration）やＡＳＩＣ（Application Specific Integrated Circuit）等のハードウェアによって実現されてもよいし、ソフトウェアとハードウェアの組み合わせによって実現されてもよい。
【００５０】
記憶部１８０には、例えば、高精度地図情報１８２、目標車線情報１８４、行動計画情報１８６等の情報が格納される。記憶部１８０は、ＲＯＭ（Read Only Memory）やＲＡＭ（Random Access Memory）、ＨＤＤ（Hard Disk Drive）、フラッシュメモリ等で実現される。プロセッサが実行するプログラムは、予め記憶部１８０に格納されていてもよいし、車載インターネット設備等を介して外部装置からダウンロードされてもよい。また、プログラムは、そのプログラムを格納した可搬型記憶媒体が図示しないドライブ装置に装着されることで記憶部１８０にインストールされてもよい。また、車両制御システム１００のコンピュータ（車載コンピュータ）は、複数のコンピュータ装置によって分散化されたものであってもよい。
【００５１】
目標車線決定部１１０は、例えば、ＭＰＵにより実現される。目標車線決定部１１０は、ナビゲーション装置５０から提供された経路を複数のブロックに分割し（例えば、車両進行方向に関して１００［ｍ］毎に分割し）、高精度地図情報１８２を参照してブロックごとに目標車線を決定する。目標車線決定部１１０は、例えば、左から何番目の車線を走行するといった決定を行う。目標車線決定部１１０は、例えば、経路において分岐箇所や合流箇所等が存在する場合、自車両Ｍが、分岐先に進行するための合理的な走行経路を走行できるように、目標車線を決定する。目標車線決定部１１０により決定された目標車線は、目標車線情報１８４として記憶部１８０に記憶される。
【００５２】
高精度地図情報１８２は、ナビゲーション装置５０が有するナビ地図よりも高精度な地図情報である。高精度地図情報１８２は、例えば、車線の中央の情報あるいは車線の境界の情報等を含んでいる。また、高精度地図情報１８２には、道路情報、交通規制情報、住所情報（住所・郵便番号）、施設情報、電話番号情報等が含まれてよい。道路情報には、高速道路、有料道路、国道、都道府県道といった道路の種別を表す情報や、道路の車線数、各車線の幅員、道路の勾配、道路の位置（経度、緯度、高さを含む３次元座標）、車線のカーブの曲率、車線の合流および分岐ポイントの位置、道路に設けられた標識等の情報が含まれる。交通規制情報には、工事や交通事故、渋滞等によって車線が封鎖されているといった情報が含まれる。
【００５３】
自動運転制御部１２０は、目的地までの経路に沿って自車両Ｍが走行するように、自車両Ｍの加減速および操舵のうち少なくとも一方を自動的に制御する。また、自動運転制御部１２０は、自動運転の度合が異なる複数のモードの何れかで自動運転制御を行う。なお、自動運転の度合は、例えば自車両Ｍの車両乗員に要求される車両の運転に関する義務（以下、単に「運転に関する義務」ともいう）の度合、および車両乗員の操作を受け付けるとともに情報を出力するＨＭＩ７０の各インターフェース装置への操作許容度の度合の一方または双方である。
【００５４】
自動運転モード制御部１３０は、自動運転制御部１２０が実施する自動運転のモードを決定する。本実施形態における自動運転のモードには、以下のモードが含まれる。なお、以下はあくまで一例であり、自動運転のモード数やモード内容は任意に決定されてよい。
【００５５】
［第１モード］
第１モードは、他のモードと比べて最も自動運転の度合が高いモードである。第１モードが実施されている場合、複雑な合流制御等、全ての車両制御が自動的に行われるため、車両乗員に要求される運転に関する義務が生じない。例えば、車両乗員は自車両Ｍの周辺や状態を監視する必要がない（車両乗員に要求される周辺監視義務が生じない）。また、車両乗員は、アクセルペダル、ブレーキペダル、ステアリング等について運転操作をする必要がなく（車両乗員に要求される運転操作義務が生じない）、車両の運転以外に意識を向けてもよい。
【００５６】
ここで、第１モードの一例としては、渋滞時に前走車両に追従する渋滞追従モード（低速追従モード）等がある。第１モードでは、例えばＴＪＰ（Traffic Jam Pilot）のように混雑した高速道路上で前走車両に追従することで安全な自動運転を実現することができ、渋滞が解消した時点でＴＪＰが終了する。渋滞の解消は、例えば自車両Ｍの走行速度が所定速度以上（例えば、４０ｋｍ／ｈ以上）になった場合に、渋滞が解消されたと判断することができるが、これに限定されるものではなく、例えば通信装置５５により外部装置から交通情報（渋滞情報）を受信することで、渋滞が解消されたことを検出してもよい。また、ＴＪＰの終了するタイミングで第１モードが他のモードに切り替わる場合もあるが、ＴＪＰが終了した所定時間後、またはＴＪＰを終了した速度よりも速い速度に至った場合に、モードが切り替わってもよい。なお、第１のモードは、他のモードと比べて最もＨＭＩ７０の各インターフェース装置（非運転操作系）の操作許容度が高いモードである。
【００５７】
［第２モード］
第２モードは、第１モードの次に自動運転の度合が高いモードである。第２モードが実施されている場合、原則として全ての車両制御が自動的に行われるが、場面に応じて自車両Ｍの運転操作が車両乗員に委ねられる（第１モードと比べて車両運転に関する義務が増加する）。このため、車両乗員は、自車両Ｍの周辺や状態を監視し、車両の運転に意識を向ける必要がある（第１モードと比べて車両運転に関する義務が増加する）。なお、第２のモードは、第１モードよりもＨＭＩ７０の各インターフェース装置（非運転操作系）の操作許容度が低いモードである。
【００５８】
［第３モード］
第３モードは、第２モードの次に自動運転の度合が高いモードである。第３モードが実施されている場合、車両乗員は、場面に応じた確認操作をＨＭＩ７０に対して行う必要がある（第２モードと比べて車両運転に関する義務が増加する）。第３モードでは、例えば、車線変更のタイミングが車両乗員に通知され、車両乗員がＨＭＩ７０に対して車線変更を指示する操作を行った場合に、自動的な車線変更が行われる。このため、車両乗員は自車両Ｍの周辺や状態を監視している必要がある（第２モードと比べて車両運転に関する義務が増加する）。なお、第３のモードは、第２モードよりもＨＭＩ７０の各インターフェース装置（非運転操作系）の操作許容度が低いモードである。
【００５９】
自動運転モード制御部１３０は、ＨＭＩ７０に対する車両乗員の操作、行動計画生成部１４４により決定されたイベント、軌道生成部１４６により決定された走行態様等に基づいて、自動運転のモード（運転モード）を決定する。なお、運転モードには、手動運転のモードが含まれていてもよい。自動運転のモードの一つとして手動運転モードを含むように考える場合、手動運転モードは、第３モードの次に自動運転の度合が高いモード、すなわち、自動運転の度合が最も低いモードである。
決定された自動運転のモード（モード情報）は、ＨＭＩ制御部１７０に通知される。また、自動運転のモードには、自車両Ｍの検知デバイスＤＤの性能等に応じた限界が設定されてもよい。例えば、検知デバイスＤＤの性能が低い場合には、第１モードは実施されないものとしてよい。
【００６０】
何れの自動運転のモードにおいても、ＨＭＩ７０における運転操作系の構成に対する操作によって、手動運転モードに切り替えること（オーバーライド）は可能である。オーバーライドは、例えば自車両Ｍの車両乗員によるＨＭＩ７０の運転操作系に対する操作が、所定時間以上継続した場合、所定の操作変化量（例えばアクセルペダル７１のアクセル開度、ブレーキペダル７４のブレーキ踏量、ステアリングホイール７８のステアリング操舵角）以上の場合、または運転操作系に対する操作を所定回数以上行った場合に開始される。
【００６１】
自動運転制御部１２０の自車位置認識部１４０は、記憶部１８０に格納された高精度地図情報１８２と、ファインダ２０、レーダ３０、カメラ４０、ナビゲーション装置５０、または車両センサ６０から入力される情報とに基づいて、自車両Ｍが走行している車線（走行車線）、および、走行車線に対する自車両Ｍの相対位置を認識する。
【００６２】
自車位置認識部１４０は、例えば、高精度地図情報１８２から認識される道路区画線のパターン（例えば実線と破線の配列）と、カメラ４０によって撮像された画像から認識される自車両Ｍの周辺の道路区画線のパターンとを比較することで、走行車線を認識する。この認識において、ナビゲーション装置５０から取得される自車両Ｍの位置やＩＮＳによる処理結果が加味されてもよい。
【００６３】
図４は、自車位置認識部１４０により走行車線Ｌ１に対する自車両Ｍの相対位置が認識される様子を示す図である。自車位置認識部１４０は、例えば、自車両Ｍの基準点（例えば重心）の走行車線中央ＣＬからの乖離ＯＳ、および自車両Ｍの進行方向の走行車線中央ＣＬを連ねた線に対してなす角度θを、走行車線Ｌ１に対する自車両Ｍの相対位置として認識する。なお、これに代えて、自車位置認識部１４０は、自車線Ｌ１の何れかの側端部に対する自車両Ｍの基準点の位置等を、走行車線に対する自車両Ｍの相対位置として認識してもよい。自車位置認識部１４０により認識される自車両Ｍの相対位置は、行動計画生成部１４４に提供される。
【００６４】
外界認識部１４２は、ファインダ２０、レーダ３０、カメラ４０等から入力される情報に基づいて、周辺車両の位置、および速度、加速度等の状態を認識する。周辺車両とは、例えば、自車両Ｍの周辺を走行する車両であって、自車両Ｍと同じ方向に走行する車両である。周辺車両の位置は、他車両の重心やコーナー等の代表点で表されてもよいし、他車両の輪郭で表現された領域で表されてもよい。周辺車両の「状態」とは、上記各種機器の情報に基づいて把握される、周辺車両の加速度、車線変更をしているか否か（あるいは車線変更をしようとしているか否か）を含んでもよい。また、外界認識部１４２は、周辺車両に加えて、ガードレールや電柱、駐車車両、歩行者その他の物体の位置を認識してもよい。
【００６５】
行動計画生成部１４４は、自動運転のスタート地点、および／または自動運転の目的地を設定する。自動運転のスタート地点は、自車両Ｍの現在位置であってもよいし、自動運転を指示する操作がなされた地点でもよい。行動計画生成部１４４は、そのスタート地点と自動運転の目的地との間の区間において、行動計画を生成する。なお、これに限らず、行動計画生成部１４４は、任意の区間について行動計画を生成してもよい。
【００６６】
行動計画は、例えば、順次実行される複数のイベントで構成される。イベントには、例えば、自車両Ｍを減速させる減速イベントや、自車両Ｍを加速させる加速イベント、走行車線を逸脱しないように自車両Ｍを走行させるレーンキープイベント、走行車線を変更させる車線変更イベント、自車両Ｍに前走車両を追い越させる追い越しイベント、分岐ポイントにおいて所望の車線に変更させたり、現在の走行車線を逸脱しないように自車両Ｍを走行させたりする分岐イベント、本線に合流するための合流車線において自車両Ｍを加減速させ、走行車線を変更させる合流イベント、自動運転の終了予定地点で自動運転モードから手動運転モードに移行させたりするハンドオーバイベント等が含まれる。行動計画生成部１４４は、目標車線決定部１１０により決定された目標車線が切り替わる箇所において、車線変更イベント、分岐イベント、または合流イベントを設定する。行動計画生成部１４４によって生成された行動計画を示す情報は、行動計画情報１８６として記憶部１８０に格納される。
【００６７】
図５は、ある区間について生成された行動計画の一例を示す図である。図５に示すように、行動計画生成部１４４は、目標車線情報１８４が示す目標車線上を自車両Ｍが走行するために必要な行動計画を生成する。なお、行動計画生成部１４４は、自車両Ｍの状況変化に応じて、目標車線情報１８４に拘わらず、動的に行動計画を変更してもよい。例えば、行動計画生成部１４４は、車両走行中に外界認識部１４２によって認識された周辺車両の速度が閾値を超えたり、自車線に隣接する車線を走行する周辺車両の移動方向が自車線方向に向いたりした場合に、自車両Ｍが走行予定の運転区間に設定されたイベントを変更する。例えば、レーンキープイベントの後に車線変更イベントが実行されるようにイベントが設定されている場合において、外界認識部１４２の認識結果によって当該レーンキープイベント中に車線変更先の車線後方から車両が閾値以上の速度で進行してきたことが判明した場合、行動計画生成部１４４は、レーンキープイベントの次のイベントを、車線変更イベントから減速イベントやレーンキープイベント等に変更してよい。この結果、車両制御システム１００は、外界の状態に変化が生じた場合においても、安全に自車両Ｍを自動走行させることができる。
【００６８】
図６は、軌道生成部１４６の構成の一例を示す図である。軌道生成部１４６は、例えば、走行態様決定部１４６Ａと、軌道候補生成部１４６Ｂと、評価・選択部１４６Ｃとを備える。
【００６９】
走行態様決定部１４６Ａは、例えば、レーンキープイベントを実施する際に、定速走行、追従走行、低速追従走行、減速走行、カーブ走行、障害物回避走行等のうち何れかの走行態様を決定する。例えば、走行態様決定部１４６Ａは、自車両Ｍの前方に他車両が存在しない場合に、走行態様を定速走行に決定する。また、走行態様決定部１４６Ａは、前走車両に対して追従走行するような場合に、走行態様を追従走行に決定する。また、走行態様決定部１４６Ａは、渋滞場面等において、走行態様を低速追従走行に決定する。また、走行態様決定部１４６Ａは、外界認識部１４２により前走車両の減速が認識された場合や、停車や駐車等のイベントを実施する場合に、走行態様を減速走行に決定する。また、走行態様決定部１４６Ａは、外界認識部１４２により自車両Ｍがカーブ路に差し掛かったことが認識された場合に、走行態様をカーブ走行に決定する。また、走行態様決定部１４６Ａは、外界認識部１４２により自車両Ｍの前方に障害物が認識された場合に、走行態様を障害物回避走行に決定する。
【００７０】
軌道候補生成部１４６Ｂは、走行態様決定部１４６Ａにより決定された走行態様に基づいて、軌道の候補を生成する。図７は、軌道候補生成部１４６Ｂにより生成される軌道の候補の一例を示す図である。図７は、自車両Ｍが車線Ｌ１から車線Ｌ２に車線変更する場合に生成される軌道の候補を示している。
【００７１】
軌道候補生成部１４６Ｂは、図７に示すような軌道を、例えば、将来の所定時間ごとに、自車両Ｍの基準位置（例えば重心や後輪軸中心）が到達すべき目標位置（軌道点Ｋ）の集まりとして決定する。図８は、軌道候補生成部１４６Ｂにより生成される軌道の候補を軌道点Ｋで表現した図である。軌道点Ｋの間隔が広いほど、自車両Ｍの速度は速くなり、軌道点Ｋの間隔が狭いほど、自車両Ｍの速度は遅くなる。従って、軌道候補生成部１４６Ｂは、加速したい場合には軌道点Ｋの間隔を徐々に広くし、減速したい場合は軌道点の間隔を徐々に狭くする。
【００７２】
このように、軌道点Ｋは速度成分を含むものであるため、軌道候補生成部１４６Ｂは、軌道点Ｋのそれぞれに対して目標速度を与える必要がある。目標速度は、走行態様決定部１４６Ａにより決定された走行態様に応じて決定される。
【００７３】
ここで、車線変更（分岐を含む）を行う場合の目標速度の決定手法について説明する。軌道候補生成部１４６Ｂは、まず、車線変更ターゲット位置（或いは合流ターゲット位置）を設定する。車線変更ターゲット位置は、周辺車両との相対位置として設定されるものであり、「どの周辺車両の間に車線変更するか」を決定するものである。軌道候補生成部１４６Ｂは、車線変更ターゲット位置を基準として３台の周辺車両に着目し、車線変更を行う場合の目標速度を決定する。図９は、車線変更ターゲット位置ＴＡを示す図である。図中、Ｌ１は自車線を表し、Ｌ２は隣接車線を表している。ここで、自車両Ｍと同じ車線で、自車両Ｍの直前を走行する周辺車両を前走車両ｍＡ、車線変更ターゲット位置ＴＡの直前を走行する周辺車両を前方基準車両ｍＢ、車線変更ターゲット位置ＴＡの直後を走行する周辺車両を後方基準車両ｍＣと定義する。自車両Ｍは、車線変更ターゲット位置ＴＡの側方まで移動するために加減速を行う必要があるが、この際に前走車両ｍＡに追いついてしまうことを回避しなければならない。このため、軌道候補生成部１４６Ｂは、３台の周辺車両の将来の状態を予測し、各周辺車両と干渉しないように目標速度を決定する。
【００７４】
図１０は、３台の周辺車両の速度を一定と仮定した場合の速度生成モデルを示す図である。図中、ｍＡ、ｍＢおよびｍＣから延出する直線は、それぞれの周辺車両が定速走行したと仮定した場合の進行方向における変位を示している。自車両Ｍは、車線変更が完了するポイントＣＰにおいて、前方基準車両ｍＢと後方基準車両ｍＣとの間にあり、且つ、それ以前において前走車両ｍＡよりも後ろにいなければならない。このような制約の下、軌道候補生成部１４６Ｂは、車線変更が完了するまでの目標速度の時系列パターンを、複数導出する。そして、目標速度の時系列パターンをスプライン曲線等のモデルに適用することで、上述した図７に示すような軌道の候補を複数導出する。なお、３台の周辺車両の運動パターンは、図１０に示すような定速度に限らず、定加速度、定ジャーク（躍度）を前提として予測されてもよい。
【００７５】
評価・選択部１４６Ｃは、軌道候補生成部１４６Ｂにより生成された軌道の候補に対して、例えば、計画性と安全性の二つの観点で評価を行い、走行制御部１６０に出力する軌道を選択する。計画性の観点からは、例えば、既に生成されたプラン（例えば行動計画）に対する追従性が高く、軌道の全長が短い場合に軌道が高く評価される。例えば、右方向に車線変更することが望まれる場合に、一旦左方向に車線変更して戻るといった軌道は、低い評価となる。安全性の観点からは、例えば、それぞれの軌道点において、自車両Ｍと物体（周辺車両等）との距離が遠く、加減速度や操舵角の変化量等が小さいほど高く評価される。
【００７６】
切替制御部１５０は、自動運転切替スイッチ８７から入力される信号に基づいて自動運転モードと手動運転モードとを相互に切り替える。また、切替制御部１５０は、ＨＭＩ７０における運転操作系の構成に対する加減速または操舵を指示する操作に基づいて、自動運転モードから手動運転モードに切り替える。例えば、切替制御部１５０は、ＨＭＩ７０における運転操作系の構成から入力された信号の示す操作量が閾値を超えた状態が、基準時間以上継続した場合に、自動運転モードから手動運転モードに切り替える（オーバーライド）。なお、切替制御部１５０は、オーバーライドによる手動運転モードへの切り替えの後、所定時間の間、ＨＭＩ７０における運転操作系の構成に対する操作が検出されなかった場合に、自動運転モードに復帰させてもよい。また、切替制御部１５０は、例えば自動運転の終了予定地点で自動運転モードから手動運転モードに移行するハンドオーバ制御を行う場合に、車両乗員に対して事前にハンドオーバリクエストを通知するため、その旨の情報を、ＨＭＩ制御部１７０に出力する。
【００７７】
走行制御部１６０は、軌道生成部１４６によって生成された軌道を、予定の時刻通りに自車両Ｍが通過するように、走行駆動力出力装置２００、ステアリング装置２１０、およびブレーキ装置２２０を制御する。
【００７８】
ＨＭＩ制御部１７０は、自動運転制御部１２０により得られる運転モードの情報に基づいてＨＭＩ７０を制御する。例えば、ＨＭＩ制御部１７０は、運転モードに基づいて、ＨＭＩ７０の非運転操作系やナビゲーション装置５０等に対する車両乗員による操作の可否を制御する。また、ＨＭＩ制御部１７０は、車両乗員の運転に関する義務が増加する自動運転のモードの変更が行われる所定時間前および／または所定速度前に、ＨＭＩ７０のインターフェース装置に所定の情報を出力させる。
【００７９】
図１１は、自車両Ｍ内におけるアームレストについて説明するための図である。図１１において、アームレスト本体８８Ａの一端側が、シート８８の背もたれ部の側面側８８Ｂの一部に取り付けられ、アームレスト本体８８Ａの他端側すなわち先端側が自車両Ｍの正面側であって略水平方向に向かうように取り付けられている。この場合におけるアームレスト本体８８Ａの位置は、例えば、車両乗員Ｐがステアリングホイール７８を把持している場合に、車両乗員Ｐの腕に触れない位置となっている。アームレスト本体８８Ａがこの位置にある状態について、以下、第１状態と称する。
【００８０】
アームレスト本体８８Ａは、主に筐体の上面側を含む部位であるアームレスト上側部８８Ａ１と、主に筐体の下側部を含む部位であるアームレスト下側部８８Ａ２と、延出部８８Ａ３とを含む。アームレスト本体８８Ａのうち、アームレスト下側部８８Ａ２に設けられた回転軸が、アームレスト本体８８Ａに設けられた角度変更部８８Ｃと、シート８８内の軸受けに連結されている。角度変更部８８Ｃは、シート駆動装置８９内に設けられており、ＨＭＩ制御部１７０からの制御信号に従って駆動する。この角度変更部８８Ｃが駆動することによって、アームレスト下側部８８Ａ２の回転軸を中心としてアームレスト本体８８Ａの先端側（アームレスト上側部８８Ａ１側）が上方側と下方側のいずれかに動くことで位置を変更することができる。
アームレスト上側部８８Ａ１とアームレスト下側部８８Ａ２は、延出部８８Ａ３によって互いに連結されている。
アームレスト上側部８８Ａ１は、車両乗員Ｐの腕が載せられるようになっている。また、アームレスト上側部８８Ａ１内部の上面側には、センサ８８Ａ４が設けられている。センサ８８Ａ４は、アームレスト上側部８８Ａ１に物体が載せられているか否かを検出する。このセンサ８８Ａ４は、物体が載せられているか否かを検出できればよく、例えば、荷重センサ、圧力センサ、静電容量型近接センサ等のうち少なくともいずれか一つを用いることができる。
【００８１】
また、アームレスト上側部８８Ａ１は、延出部８８Ａ３が延出することによって、アームレスト下側部８８Ａ２に対して離間するように移動することで、自車両Ｍの正面側（ステアリングホイール７８に接近する方向）に位置を変更することができる。
【００８２】
アームレスト下側部８８Ａ２は、その回転軸が角度変更部８８Ｃに連結されており、この回転軸を中心として上下方向に回転することが可能である一方、自車両Ｍの正面側あるいは後方側には移動しないように規制されている。この回転範囲としては、例えば、アームレスト本体８８Ａの長手方向が鉛直方向からステアリングホイール７８の中心に向かう方向までの範囲である。例えば鉛直方向に対するアームレスト下側部８８Ａ２の長手方向の角度をθとした場合、角度θは、０度（鉛直方向）から１１０度程度までの範囲である。なお、第１状態において、角度θは、ほぼ水平方向をとなる角度であり、例えば、９０度である。
【００８３】
延出部８８Ａ３は、一端側がアームレスト下側部８８Ａ２に連結され、他端側がアームレスト上側部８８Ａ１に連結される。この延出部８８Ａ３は、ＨＭＩ制御部１７０からの制御信号に基づいて、一端側と他端側の距離を延ばすまたは縮めるように駆動する駆動部を有する。
【００８４】
次に、アームレスト本体８８Ａの第２状態について、図１２を用いて説明する。
図１２において、第２状態としては、延出部８８Ａ３が延びることによって、アームレスト上側部８８Ａ１がアームレスト下側部８８Ａ２から離間するように移動した状態である。この場合、アームレスト上側部８８Ａ１は、ステアリングホイール７８から所定の距離だけ離れた位置に到達する。この場合における所定の距離としては、例えば、アームレスト上側部８８Ａ１に載せられた腕から手のひらをステアリングホイール７８に速やかに把持あるいは、ステアリングホイール７８を把持した手を離した際に、腕を速やかにアームレスト上側部８８Ａ１に載せることができる程度の距離に設定される。ここでは、アームレスト上側部８８Ａ１は、ステアリングホイール７８から一定の距離内にあるが、ステアリングホイール７８には当接しない距離に位置するため、アームレスト上側部８８Ａ１がステアリングホイール７８に当接して運転操作の妨げにならないようになっている。
【００８５】
また、第２状態におけるアームレスト本体８８Ａの角度θを角度θ２として任意に設定するようにしてもよい。これにより、車両乗員Ｐの体型や腕の長さ等によっては、アームレスト本体８８Ａが水平方向よりも上側の方が、車両乗員Ｐの腕をアームレスト上側部８８Ａ１に載せた状態で車両乗員Ｐの手のひらをスムーズに近づけやすい場合等を考慮して設定することができ、車両乗員Ｐのハンドルを把持するあるいはハンドルを離すことをスムーズに行なうことができ、快適性を向上させることができる。
【００８６】
図１３は、アームレスト本体８８Ａが第２状態である場合において、車両乗員Ｐの腕がアームレスト本体８８Ａに載せられた場合を表す図である。ここでは、運転モードが第１モードまたは、第２モードにおける運転操作が必要のない状態に移行した場合、車両乗員Ｐは、ステアリングホイール７８を把持する必要がない。そのため、運転モードが第１モードまたは、第２モードにおける運転操作が必要のない状態に移行した場合に、アームレスト本体８８Ａが第２状態に移行した場合には、車両乗員Ｐは、ステアリングホイール７８を離すことができ、この場合、アームレスト上側部８８Ａ１が腕の直ぐ近傍にあるため、そのまま腕をアームレスト上側部８８Ａ１にスムーズに載せることができる。これにより、ステアリングホイール７８の操作が必要がない運転モードに移行した場合には、車両乗員Ｐの腕を直ぐに受けることができるため、車両乗員Ｐの自車両Ｍにおける快適性を向上させることができる。
この場合、センサ８８Ａ４は、車両乗員Ｐの腕がアームレスト上側部８８Ａ１に載せられたことを検出し、検出結果をＨＭＩ制御部１７０に出力する。
【００８７】
図１４は、アームレスト本体８８Ａが第２状態から第１状態に移行しており、車両乗員Ｐの腕がアームレスト上側部８８Ａ１に載せられた状態を表す図である。この場合、車両乗員Ｐは、ステアリングホイール７８の操作の必要がない運転モードにおいて、第２状態におけるアームレスト上側部８８Ａ１に腕を載せると、アームレスト本体８８Ａの状態が第１状態に移行する。これにより、車両乗員Ｐは、ステアリングホイール７８の近傍まで伸ばしていた腕を縮めるようにすることができる。この場合、車両乗員Ｐの肘の位置が、車両乗員Ｐの腹部の近傍に近づくような姿勢に移行するため、腕を伸ばした状態に比べてリラックスした姿勢に移行させることができる。これにより、ステアリングホイール７８の操作の必要がない運転モードに移行した場合には、車両乗員Ｐの肘を腹部に近い位置となるように腕を縮めさせることができ、車両乗員Ｐの自車両Ｍにおける快適性を向上させることができる。
【００８８】
図１５は、アームレスト本体８８Ａの第３状態を表す図である。第３状態は、第１状態から移行する状態であり、アームレスト上側部８８Ａ１が、水平方向よりも下側に移動している。この場合、アームレスト本体８８Ａの角度θは、アームレスト本体８８Ａの長手方向が水平方向を向く角度よりも小さな角度θ３である。例えば、角度θ３は、７０度〜８０度程度に設定される。
【００８９】
図１６は、アームレスト本体８８Ａの第４状態を表す図である。第４状態は、第３状態から移行する状態であり、第３状態において、延出部８８Ａ３が延びることによって、アームレスト上側部８８Ａ１がアームレスト下側部８８Ａ２から離間した状態である。このとき、車両乗員Ｐの腕がアームレスト上側部８８Ａ１に載せられた状態のままアームレスト上側部８８Ａ１が離間する。そのため、車両乗員Ｐの腕が伸びるような姿勢に移行する。すなわち、車両乗員Ｐの肘が腹部から離れる方向に移動することで、車両乗員Ｐの手のひらがステアリングホイール７８に近づく。ここでは、車両乗員Ｐの腕がアームレスト上側部８８Ａ１に載った状態のまま、第４状態に移行するため、車両乗員Ｐは、自ら腕をアームレスト上側部８８Ａ１から離して腕を伸ばしてステアリングホイール７８を把持するような動作を行なわなくても、腕をアームレスト上側部８８Ａ１に載せておくだけで、手のひらがステアリングホイール７８に近づく。そのため、第４状態に移行した後に、ステアリングホイール７８を把持すればよいため、ステアリングホイール７８を把持する必要が生じた場合であっても、快適性を保った状態を維持する期間をより長く確保することができる。
【００９０】
ここで、図１１から図１６において、シート８８の右側方にアームレスト本体８８Ａが設けられる場合について図示されているが、シート８８の左側方側にも同様に、アームレスト本体８８Ａが設けられる。
【００９１】
図１７は、ＨＭＩ制御部１７０の構成の一例を示す図である。この図に示すＨＭＩ制御部１７０は、上述した機能の他に、運転モード取得部１７１、位置制御部１７２、検出結果取得部１７５をさらに備える。
運転モード取得部１７１は、自動運転制御部１２０から運転モードに関する情報を取得する。この運転モードの取得は、例えば、自動運転モード制御部１３０が運転モードを決定する都度取得してもよいし、一定期間毎に、運転モードを取得してもよい。
【００９２】
位置制御部１７２は、運転モード取得部１７１によって取得した運転モードに基づいて、自動運転の度合に応じてアームレスト本体８８Ａの位置、特に、アームレスト上側部８８Ａ１の位置を制御する。位置制御部は１７２、自動運転の度合が遷移することに応じた位置となるように、アームレスト本体８８Ａの位置を制御する。
また、位置制御部１７２は、アームレスト本体８８Ａの位置を制御する場合、運転モード取得部１７１によって取得した運転モードに基づいて、自動運転の度合の遷移状態に応じて制御することもできる。この場合における自動運転の度合の遷移状態としては、例えば、自動運転の度合が低い状態から高い状態に上昇する遷移である場合と、自動運転の度合が高い状態から低い状態に低下する遷移である場合とがある。
自動運転の度合が上昇する場合としては、例えば、ステアリングホイール７８の操作が必要な自動運転の度合からステアリングホイール７８の操作が不要な自動運転の度合へ遷移する場合であってもよいし、自動運転の度合が他の運転モードから第１モードへ遷移する場合であってもよい。
自動運転の度合が低下する場合としては、例えば、ステアリングホイール７８の操作が不要な自動運転の度合からステアリングホイール７８の操作が必要な自動運転の度合へ遷移する場合であってもよいし、自動運転の度合が少なくとも１段階低下する場合であってもよいし、自動運転の度合が他の運転モードから手動運転モードへ遷移する場合であってもよい。
【００９３】
例えば、位置制御部１７２は、自動運転の度合が低い状態から高い状態に遷移する場合に、アームレスト上側部８８Ａ１の位置をステアリングホイール７８から所定の距離だけ離れた第１位置まで移動させた後、ステアリングホイール７８から第１位置よりも離れた第２位置に移動させる。
自動運転の度合が低い状態である場合、例えば図１１に示すように、アームレスト本体８８Ａは、第１状態となっている。この第１状態において、アームレスト本体８８Ａは、延出部８８Ａ３による延出がされておらず、アームレスト上側部８８Ａ１とアームレスト下側部８８Ａ２が、ほぼ接しており（離間していない）、アームレスト本体８８Ａの長手方向の向きが略水平方向（角度θ１が９０°程度）となっている。車両乗員Ｐは、自動運転の度合が低い状態であるためステアリングホイール７８を把持しており、このとき、車両乗員Ｐの腕は、アームレスト本体８８Ａには触れない状態になっている。自動運転の度合が低い状態から高い状態に遷移すると、アームレスト上側部８８Ａ１の位置がステアリングホイール７８から所定の距離だけ離れた第１位置まで移動する。この第１位置としては、例えば、図１２に示すように、アームレスト本体８８Ａの延出部８８Ａ３が延出されることでアームレスト上側部８８Ａ１がアームレスト下側部８８Ａ２から離間し、アームレスト本体８８Ａの角度がθ１よりも大きな角度θ２に設定されることで第１状態よりもやや上方を向くような位置である。このように延出部８８Ａ３による延出が行なわれ、アームレスト本体８８Ａの角度がθ２に設定されることで、アームレスト上側部８８Ａ１の先端側の位置が、第１状態に比べてステアリングホイール７８に近い位置に近づく。自動運転の度合が低い状態から高い状態（運転操作をする必要がない運転モード）に遷移すると、車両乗員Ｐは、ステアリングホイール７８を把持する必要がないため、ステアリングホイール７８から手を離す。このとき、アームレスト上側部８８Ａ１がステアリングホイール７８に近づいた位置まで延出しているため、車両乗員Ｐは、腕を伸ばした状態でそのまま腕を下に下ろすと、例えば図１３に示すように、腕を少し下ろすだけでアームレスト本体８８Ａに、少なくとも前腕の一部を自然に載せることができる。これにより、車両乗員Ｐは、運転操作の必要がない運転モードに遷移した場合に、速やかに腕を休めることができる。
また、位置制御部１７２は、アームレスト本体８８Ａの位置を第１位置に移動した後、アームレスト本体８８Ａの位置がステアリングホイール７８から第１位置よりも離れた第２位置になるように移動させる。第１位置から第２位置へ移行を開始するトリガーとしては、例えば、センサ８８Ａ４によって車両乗員Ｐの腕がアームレスト上側部８８Ａ１に載せられたことを検出した場合、アームレスト本体８８Ａが第１位置に到達してから所定の時間が経過したと判定した場合、のいずれかであってもよい。センサ８８Ａ４によって車両乗員Ｐの腕がアームレスト上側部８８Ａ１に載せられたことを検出して第１位置から第２位置に移行する場合には、車両乗員Ｐの腕がアームレスト上側部８８Ａ１に載せられる前に、アームレスト本体８８Ａが第２状態から第１状態に移行してしまうことを防止することができる。また、アームレスト本体８８Ａが第１位置に到達してから所定の時間が経過したと判定した場合に第１位置から第２位置に移行する場合には、車両乗員Ｐがアームレスト本体８８Ａを利用しない状況であるにもかかわらず、延出部８８Ａ３が延出されたままの状態となってしまうことを防止することができる。車両乗員Ｐがアームレスト本体８８Ａを利用しない場合としては、例えば、車両乗員Ｐが両腕を頭上に挙げて伸ばしてストレッチをする場合や、周囲に置いてある荷物を取り出す場合がある。
【００９４】
ここで、第２位置としては、例えば図１４に示すように、延出されていた延出部８８Ａ３が収縮することで、アームレスト上側部８８Ａ１がアームレスト下側部８８Ａ２にほぼ接する位置となり、その際のアームレスト本体８８Ａの角度が角度θ１（９０°程度）となる位置である。第１位置から第２位置に移行する場合、車両乗員Ｐの腕がアームレスト上側部８８Ａ１に載せられたままの状態で延出部８８Ａ３が収縮してアームレスト上側部８８Ａ１の位置がアームレスト下側部８８Ａ２に接する位置に到達し、かつ、アームレスト本体８８Ａの角度が角度θ１に到達する。これにより、車両乗員Ｐは、腕の姿勢を変えるような意識をしなくても、腕を伸ばした状態から肘が曲げられてその肘が体の側方側に近づくような姿勢にすることができる。これにより車両乗員Ｐは、自身の体に近い位置で腕を休めることができる。
【００９５】
また、位置制御部１７２は、自動運転の度合が高い状態から低い状態に遷移する場合に、アームレスト上側部８８Ａ１をステアリングホイール７８から所定の距離よりも離れた位置（第１状態）から所定の距離だけ離れた位置（第２状態）まで移動させる。ここで、自動運転の度合が高い状態から低い状態に遷移する場合としては、例えば、車両乗員Ｐによるステアリングホイール７８の操作が不要な運転モード（例えば、第１モード、第２モード（ステアリングホイール７８の操作が必要な状態））から車両乗員Ｐによるステアリングホイール７８の操作が必要な運転モード（例えば、手動運転モード、第３モード、第２モード（ステアリングホイール７８の操作が必要な状態）に遷移する場合である。
【００９６】
自動運転の度合が高い状態である場合、例えば、図１４に示すように延出部８８Ａ３が収縮しておりアームレスト上側部８８Ａ１とアームレスト下側部８８Ａ２とがほぼ接する位置であって、アームレスト本体８８Ａの向きが略水辺方向（角度θ１が９０°程度）である状態である。このとき、車両乗員Ｐの腕は、肘を曲げた状態でアームレスト本体８８Ａの上に載せられている。
位置制御部１７２は、アームレスト上側部８８Ａ１を第２状態から第１状態に遷移させるまでの少なくとも一部の期間において、アームレスト本体８８Ａの向きを水平方向よりも下方となるように、アームレスト本体８８Ａの角度を角度θ１から角度θ３（＜角度θ１）に傾ける（例えば、図１５、第３状態）。これにより、車両乗員Ｐの手首の位置が肘よりも下方に下がることで車両乗員Ｐが曲げていた肘の角度を、アームレスト本体８８Ａが第１状態（略水平方向）における肘の角度に比べて、緩やかにする（肘をやや伸ばす）ことができる。
位置制御部１７２は、第３状態に移行した後、図１６に示すように第４状態に移行する。ここでは、位置制御部１７２は、アームレスト本体８８Ａの角度が角度θ３のままで、延出部８８Ａ３を延出させることで、アームレスト上側部８８Ａ１をアームレスト下側部８８Ａ２から離間させる。車両乗員Ｐの前腕はアームレスト上側部８８Ａ１に載せられているため、延出部８８Ａ３の延出によりアームレスト上側部８８Ａ１の位置がステアリングホイール７８の位置に近づく方向に移動すると、車両乗員Ｐの前腕の位置もアームレスト上側部８８Ａ１の移動とともに、肘の角度がさらに緩やかになりつつ、ステアリングホイール７８の位置に近づく方向に移動する（例えば、図１６）。これにより、車両乗員Ｐは、腕の姿勢を変更するような意識を特にすることなく、腕を少しずつ伸ばし、前腕をステアリングホイール７８に近づく方向に移動させることができる。第４状態に移行した後、位置制御部１７２は、延出部８８Ａ３を延出させた状態でアームレスト本体８８Ａの角度を角度θ３から角度θ２に変更することで、アームレスト本体８８Ａの角度を水平方向よりもやや上方に向ける（図１３、第２状態）。これにより、アームレスト上側部８８Ａ１に腕を載せていた車両乗員Ｐの手の位置が、ステアリングホイール７８の下方側からステアリングホイール７８に近づくように移動するため、車両乗員Ｐは、アームレスト上側部８８Ａ１から腕を少し持ち上げることで、ステアリングホイール７８を自然に把持することができる（図１２、第２状態）。また、車両乗員Ｐは、腕を少し持ち上げるだけで手をステアリングホイール７８の位置に到達させステアリングホイール７８を把持することができるため、運転操作が必要となった際にステアリングホイール７８の位置を視認することなくステアリングホイール７８を速やかに把持することができる、あるいはステアリングホイール７８を容易に見つけることができる。
【００９７】
また、位置制御部１７２は、第１状態から第２状態に移行した後において、ステアリングホイール７８が乗員によって把持されたことを検出するセンサから得られる検出信号に基づいて、ステアリングホイール７８が乗員によって把持されたことが検出された場合に、アームレスト上側部８８Ａ１を第２状態から第１状態に移行させる。ステアリングホイール７８が車両乗員Ｐによって把持されたことを検出するセンサとしては、例えば、車室内カメラ９５を用いることができる。車室内カメラ９５を用いる場合、この車室内カメラ９５から得られる画像データを画像認識することで、ステアリングホイール７８と車両乗員Ｐとを認識し、そのステアリングホイール７８の周方向の一部の画像に、車両乗員Ｐの一部（手）の画像が存在する場合には、車両乗員Ｐによってステアリングホイール７８が把持されていると検出する。また、ステアリングホイール７８に圧力センサや静電容量型近接センサを設け、車両乗員Ｐがステアリングホイール７８に触れたか否かを検出するようにすることもできる。
圧力センサを用いる場合、ステアリングホイール７８の周方向に複数個の圧力センサを並べるように設置し、複数個の圧力センサからそれぞれ所定以上の圧力を検出した場合に車両乗員Ｐによってステアリングホイール７８が把持されたことを検出する。複数個の圧力センサによって所定値以上の圧力を検出することで、例えば、ステアリングホイール７８の把持可能な領域のうち離れた位置において把持された、すなわち右手と左手によって把持されたことを検出することができる。
静電容量型近接センサを用いる場合、ステアリングホイール７８の周方向に沿うように静電容量型近接センサを設け、検出対象の領域のうち所定以上の面積において物体が近接したことを静電容量の変化に基づいて検出した場合に、ステアリングホイール７８が車両乗員Ｐによって把持されたと判定する。例えば、車両乗員Ｐの右手と左手のそれぞれによってステアリングホイール７８が把持されると、右手と左手の手の平がステアリングホイール７８に接することとなり、この場合に静電容量が所定値以上変化するため、ステアリングホイール７８が把持されたことを検出することができる。
【００９８】
また、位置制御部１７２は、第３状態または第１状態から第２状態に遷移するまでの間の一部の期間において、シート８８の右側方に設けられたアームレスト本体８８Ａのアームレスト上側部８８Ａ１と、シート８８の左側方に設けられたアームレスト本体８８Ａのアームレスト上側部８８Ａ１との位置（距離）について、車両乗員Ｐの肩幅程度に広がっている状態からお互いに近づくように移動させるようにしてもよい。これにより、シート８８の右側方に設けられたアームレスト上側部８８Ａ１に載せられた車両乗員Ｐの右腕と、シート８８の左側方に設けられたアームレスト上側部８８Ａ１に載せられた車両乗員Ｐの左腕とを近づけることができる。例えば、右側方及び左側方のアームレスト上側部８８Ａ１との距離が肩幅程度に広がっている状態からステアリングホイール７８の直径程度の距離まで近づけるようにすることで、車両乗員Ｐの両腕の距離が肩幅程度に広がっている状態からステアリングホイール７８の直径程度まで近づくため、車両乗員Ｐに対してステアリングホイール７８を把持しやすい状態にすることができる。
【００９９】
また、位置制御部１７２は、アームレスト本体８８Ａの位置を変更する場合、アームレスト本体８８Ａの位置や角度を移行する順序を示す移行順序データを参照し、どの位置、角度にどのような順で変更するかを決定する。移行順序データは、例えば、位置制御部１７２の内部のメモリ領域に記憶するようにしてもよいし、車両制御システム１００の記憶部１８０内に記憶するようにしてもよい。
図１８は、移行順序データの一例を示すデータテーブルである。移行順序データは、自動運転の度合の遷移状態と移行順序ＩＤと移行順序とが対応付けられたデータである。ここでは一例として、自動運転の度合が第１モード、第２モード、第３モードのいずれかから、遷移する先の自動運転の度合が「手動運転モード」である場合には、移行順序ＩＤが「移行順序１」であり、移行順序として「第１状態→第３状態→第４状態→第２状態→第１状態」が対応付けられる。また、自動運転の度合が第２モード、第３モード、手動運転モードのいずれかから「第１モード」に遷移する場合には、移行順序ＩＤは「移行順序２」であり、移行順序として「第１状態→第２状態→第１状態」が対応付けされている。図１８に示す移行順序データについては、遷移先の自動運転の度合が「手動運転モード」や「第１モード」について例示したが、「手動運転モード」や「第１モード」以外の自動運転の度合に対し、種々の移行順序を記憶することもできる。
【０１００】
また、図１８に示す移行順序データについては、遷移先の自動運転の度合と移行順序ＩＤと移行順序とが対応付けられた場合について説明したが、自動運転の度合が上昇する場合と、自動運転の度合が低下する場合に対してそれぞれ、移行順序ＩＤと移行順序とを対応づけて記憶するようにしてもよい。
【０１０１】
＜処理フロー＞
以下、本実施形態に係る車両制御システム１００よる処理の流れについて説明する。なお、以下の説明では、車両制御システム１００のおける各種処理のうち、主にＨＭＩ制御部１７０により実施されるアームレストの角度や位置を変更する処理の流れについて説明する。この処理フローは、自車両Ｍの運転が開始されてから終了するまでの間、一定時間毎に実施される。
【０１０２】
図１９は、ＨＭＩ制御処理の第１の実施例を示すフローチャートである。図１９の例において、ＨＭＩ制御部１７０の運転モード取得部１７１は、自動運転制御部１２０よりモード情報を取得する（ステップＳ１０１）。位置制御部１７２は、この取得されたモード情報に含まれる運転モードが、現在の運転モードから他の運転モードに変更されるか否かを判定する（ステップＳ１０２）。運転のモードの変更がない場合（ステップＳ１０２−ＮＯ）、ＨＭＩ制御部１７０は、一定時間待ち（ステップＳ１０３）、その後にステップＳ１０１に移行し、モード情報を取得する。
【０１０３】
一方、運転モードの変更がある場合（ステップＳ１０２−ＹＥＳ）、変更後の運転モードのレベル（度合）が変更前の運転モードのレベルに対して低下する変更であるか否かを判定する（ステップＳ１０４）。ここでは、運転モードのレベルの低下であるか否かを判定する場合、いずれかの自動運転のモードから手動運転モードに変更される運転モードのレベルの低下であるか否かを判定するようにしてもよいし、ステアリングホイールの操作が不要な自動運転のモードからステアリングホイールの操作が必要となる自動運転モードへの低下であるか否かを判定するようにしてもよい。いずれかの自動運転のモードから手動運転モードに変更される運転モードのレベルの低下である場合、または、ステアリングホイールの操作が不要な自動運転のモードからステアリングホイールの操作が必要となる自動運転モードへの低下である場合には、運転モードのレベルが低下する変更であると判定する（ステップＳ１０４−ＹＥＳ）。運転モードのレベルが低下する変更であると判定された場合、位置制御部１７２は、「移行順序１」に対応する移行順序に従って、アームレスト本体８８Ａの位置を変更するよう、シート駆動装置８９の角度変更部８８Ｃ、延出部８８Ａ３に制御信号を出力し、アームレスト上側部８８Ａ１の位置の変更を開始する（ステップＳ１０５）。この場合における移動順序は、「第１状態→第３状態→第４状態→第２状態→第１状態」である。そして、位置制御部１７２は、アームレスト本体８８Ａの状態が第３状態、第４状態を経て第２状態に移行したか否かを判定し（ステップＳ１０６）、第２状態に移行していない場合には（ステップＳ１０６−ＮＯ）、一定時間待ち（ステップＳ１０７）、その後に再度ステップＳ１０６に移行し、第２状態に移行したか否かを判定する。
【０１０４】
第２状態に移行したと判定されると（ステップＳ１０６−ＹＥＳ）、位置制御部１７２は、車両乗員Ｐによってステアリングホイール７８が把持されたか否かを判定する（ステップＳ１０８）。ステアリングホイール７８が把持されたか否かの判定は、例えば、車室内カメラ９５、ステアリングホイール７８に設けられる圧力センサ、ステアリングホイール７８に設けられる静電容量型近接センサのうち少なくともいずれか１つによる検出結果を参照することで判定する。車両乗員Ｐによってステアリングホイール７８が把持されたと判定されると（ステップＳ１０８−ＹＥＳ）、位置制御部１７２は、第１状態に移行し（ステップＳ１０９）、処理を終了する。ここでは、車両乗員Ｐによってステアリングホイール７８が把持されたと判定された場合には、車両乗員Ｐの姿勢は、腕を休める状態から、運転操作をするためにステアリングホイール７８を把持する状態に移行したものとし、これにより、延出されたアームレスト上側部８８Ａ１を収納し、車両乗員Ｐが運転操作をしやすい環境を作ることができる。
【０１０５】
一方、ステップＳ１０８において、車両乗員Ｐによってステアリングホイール７８が把持されていないと判定されると（ステップＳ１０８−ＮＯ）、一定時間待ち（ステップＳ１１０）、ステップＳ１０８の判定を行なった時点から予め設定された所定時間が経過したか否かを判定する（ステップＳ１１１）。この所定の時間は、任意に設定することができる。例えば、運転モードのレベルが低下すると判定されてからアームレスト本体８８Ａの位置の変更が行なわれて車両乗員Ｐによってステアリングホイール７８を把持するまでにかかる時間に応じて決めることができる。ステップＳ１１１において、所定の時間が経過していないと判定された場合には（ステップＳ１１１−ＮＯ）、位置制御部１７２は、ステップＳ１０８に移行し、車両乗員Ｐによってステアリングホイール７８が把持されたか否かを再度判定する（ステップＳ１０８）。
【０１０６】
一方、ステップＳ１１１において、所定の時間が経過したと判定された場合には（ステップＳ１１１−ＹＥＳ）、位置制御部１７２は、「ハンドオーバが発生しますので、アームレストを収縮させます。」等のアナウンスをナビゲーション装置５０、表示装置８２の画面上に表示させ、スピーカ８３から音声によって出力する。これにより、車両乗員Ｐがステアリングホイール７８を把持していない状態（車両乗員Ｐの腕がアームレスト上側部８８Ａ１から離れていない状態）であっても、ハンドオーバが行なわれるまでの間に、アームレスト本体８８Ａの状態を第１状態に移行させることができる。また、アナウンスが出力されることで、ハンドオーバが発生するためにアームレスト本体８８Ａが収縮されることを車両乗員Ｐに認識させ、ステアリングホイール７８を把持させるように促すことができる。そして、位置制御部１７２は、アナウンスを出力した後（ステップＳ１１２）、アームレスト本体８８Ａを第１状態に移行させる（ステップＳ１０９）。これにより、第１状態において肘を曲げてアームレスト本体８８Ａに前腕を載せて腕を休ませていた状態から腕を伸ばしてステアリングホイール７８に近い位置に腕を案内し、かつ、アナウンスの出力がされたにもかかわらず車両乗員Ｐがステアリングホイール７８を把持しない場合には、アームレスト本体８８Ａを第１状態に戻すことで、強制的に腕をアームレスト本体８８Ａから離間させることもできる。また、運転モードが、ステアリングホイール７８の操作が必要な運転モードに切り替わった場合であっても、アームレスト本体８８Ａがステアリングホイール７８の近傍に位置し続けて車両乗員Ｐにとってステアリングホイール７８の操作の邪魔になってしまうことを防止することができる。
【０１０７】
一方、ステップＳ１０４において、運転モードのレベルが下がる変更ではない場合、すなわち、運転モードのレベルが上昇する変更（例えば、いずれかの自動運転のモードから第１モードに変更される自動運転モードのレベルの上昇である場合、または、ステアリングホイールの操作が必要な自動運転のモードからステアリングホイールの操作が不要な自動運転のモードのレベルの上昇）である場合には（ステップＳ１０４−ＮＯ）、位置制御部１７２は、「移行順序２」に対応する移行順序に従って、アームレスト上側部８８Ａ１の移動を開始する（ステップＳ１１３）。この場合における移動順序は、「第１状態→第２状態→第１状態」である。ここでは、アームレスト上側部８８Ａ１が延出することで、車両乗員Ｐは、ステアリングホイール７８から手を離して腕を休ませてよいことを認識することも可能であるが、位置制御部１７２が、「ステアリングホイールの操作が不要な運転モードに移行します。アームレストで腕を休めることができます。」等のアナウンスをナビゲーション装置５０、表示装置８２の画面上に表示させ、スピーカ８３から音声によって出力するようにしてもよい。これにより、アームレスト本体８８Ａを利用できることをより認識しやすくすることができる。
【０１０８】
そして位置制御部１７２は、第１状態から第２状態に移行したか否かを判定する（ステップＳ１１４）。第２状態に移行していないと判定された場合、位置制御部１７２は、一定時間待ち（ステップＳ１１５）、ステップＳ１１４に移行し、第２状態に移行したか否かの判定を再度行なう（ステップＳ１１５）。
【０１０９】
ステップＳ１１５において、第２状態に移行したと判定されると、位置制御部１７２は、センサ８８Ａ４からの検出結果に基づいて、車両乗員Ｐの腕がアームレスト上側部８８Ａ１に載置されたか否かを判定する（ステップＳ１１６）。車両乗員Ｐの腕がアームレスト上側部８８Ａ１に載置されたと判定されると（ステップＳ１１６−ＹＥＳ）、位置制御部１７２は、アームレスト本体８８Ａの状態を第１状態に移行させる。
一方、ステップＳ１１６において、車両乗員Ｐの腕がアームレスト上側部８８Ａ１に載置されていないと判定された場合には（ステップＳ１１６−ＮＯ）、位置制御部１７２は、一定時間待ち（ステップＳ１１７）、予め設定された所定時間が経過したか否かを判定する。この所定時間としては、任意に設定することができる。例えば、運転モードのレベルが上昇すると判定されてからアームレスト本体８８Ａの位置の変更が行なわれて車両乗員Ｐの腕がアームレスト上側部８８Ａ１に載置されるまでにかかる時間に応じて決めることができる。
【０１１０】
所定時間が経過していないと判定された場合には（ステップＳ１１８−ＮＯ）、位置制御部１７２は、ステップＳ１１６に移行し、車両乗員Ｐの腕がアームレスト上側部８８Ａ１に載置されたか否かの判定を再度行なう（ステップＳ１１７）。
一方、ステップＳ１１８において、所定時間が経過したと判定された場合には（ステップＳ１１８−ＹＥＳ）、「一定時間が経過しましたので、アームレストを収縮します」等のアナウンスをナビゲーション装置５０、表示装置８２の画面上に表示させ、スピーカ８３から音声によって出力する（ステップＳ１１９）。第１状態から第２状態に移行しても車両乗員Ｐの腕がアームレスト上側部８８Ａ１に載置されない場合としては、例えば、車両乗員Ｐがアームレスト上側部８８Ａ１を利用せずに、頭上に腕を伸ばしてストレッチをしたり、周囲においてある荷物を取り出したりするような場面が考えられる。このような場合には、所定時間経過後にアームレスト本体８８Ａの状態を第１状態に移行することで、アームレスト本体８８Ａを利用しないという車両乗員Ｐの意志に合わせてアームレスト本体８８Ａを収縮することができる。
【０１１１】
また、上述した実施形態において、ステップＳ１０４において、変更後の運転モードのレベルが変更前の運転モードのレベルに対して低下する変更であると判定された場合に、移行順序１に従ってアームレスト本体８８Ａの状態を変更する場合について説明したが、運転モードのレベルの低下が、「予定されたレベルの低下」であるか「緊急のレベルの低下」であるかを判定し、「予定されたレベルの低下」である場合には、移行順序１に従ってアームレスト本体８８Ａの状態を変更し、「緊急のレベルの低下」である場合には、アームレスト本体８８Ａの状態遷移を行なわず、第１状態のままにするようにしてもよい。これにより、アームレスト本体８８Ａの状態が変更されるか否かによらず、車両乗員Ｐは、速やかにステアリングホイール７８を把持することができる。
ここで、「予定されたレベルの低下」は、例えば、走行ルートを設定した際に、ハンドオーバすることが予め決められた場合における自動運転の度合の遷移状態であり、車線の合流地点やトンネルの入り口、高速道路の出口等において設定される。「緊急のレベルの低下」は、例えば、ハンドオーバすることが予め決められてはいなかったが、車両の走行時の状態に応じて自動運転の度合が高い状態（第１モード、第２モード、第３モードのいずれか）から低い状態（手動運転モード）に遷移する場合であり、例えば、検知デバイスの故障が発生した場合である。
【０１１２】
また、上述した実施形態において、ステップＳ１０８において、ステアリングを把持したか否かを判定するようにしたが、車両乗員Ｐの腕がアームレスト本体８８Ａから離れたか否かを判定するようにしてもよい。この場合、センサ８８Ａ４によって、車両乗員Ｐの腕がアームレスト上側部８８Ａ１に載せられた状態から載せられていない状態に移行したか否かを検出するようにしてもよい。
【０１１３】
また、上述した実施形態において、ステップＳ１１２、ステップＳ１１９において、アームレスト本体８８Ａを収縮する場合に、アームレスト本体８８Ａを収縮することをナビゲーション装置５０や表示装置８２を用いてアナウンスするようにしたが、アームレスト本体８８Ａを延出させる場合に、アームレスト本体８８Ａが延出されることをアナウンスするようにしてもよい。例えば、運転モードのレベルが低下することに伴ってアームレスト本体８８Ａが延出される際にアナウンスする場合には、ステアリングホイール７８を把持する必要があることをより認識しやすくなる。また、運転モードのレベルが上昇することに伴ってアームレスト本体８８Ａが延出される際にアナウンスする場合には、ステアリングホイール７８から手を離して腕を休ませてもよいことを認識しやすくすることができる。
【０１１４】
なお、上述した図１９に示すＨＭＩ制御処理は、自動運転制御部よりモード情報を取得した場合に実行してもよく、一定の時間間隔で実施してもよい。なお、実施形態としては、上述した各実施例の一部または全部を組み合わせてもよい。
【０１１５】
以上、本発明を実施するための形態について実施形態を用いて説明したが、本発明はこうした実施形態に何等限定されるものではなく、本発明の要旨を逸脱しない範囲内において種々の変形及び置換を加えることができる。
【符号の説明】
【０１１６】
２０…ファインダ、３０…レーダ、４０…カメラ、ＤＤ…検知デバイス、５０…ナビゲーション装置、５５…通信装置、６０…車両センサ、７０…ＨＭＩ、１００…車両制御システム、１１０…目標車線決定部、１２０…自動運転制御部、１３０…自動運転モード制御部、１４０…自車位置認識部、１４２…外界認識部、１４４…行動計画生成部、１４６…軌道生成部、１４６Ａ…走行態様決定部、１４６Ｂ…軌道候補生成部、１４６Ｃ…評価・選択部、１５０…切替制御部、１６０…走行制御部、１７０…ＨＭＩ制御部、１７１…運転モード取得部、１７２…位置制御部、１７５…検出結果取得部、１７４…インターフェース制御部、１８０…記憶部、２００…走行駆動力出力装置、２１０…ステアリング装置、２２０…ブレーキ装置、Ｍ…自車両
【図１】
2020117218.tif 000003
【図２】
2020117218.tif 000004
【図３】
2020117218.tif 000005
【図４】
2020117218.tif 000006
【図５】
2020117218.tif 000007
【図６】
2020117218.tif 000008
【図７】
2020117218.tif 000009
【図８】
2020117218.tif 000010
【図９】
2020117218.tif 000011
【図１０】
2020117218.tif 000012
【図１１】
2020117218.tif 000013
【図１２】
2020117218.tif 000014
【図１３】
2020117218.tif 000015
【図１４】
2020117218.tif 000016
【図１５】
2020117218.tif 000017
【図１６】
2020117218.tif 000018
【図１７】
2020117218.tif 000019
【図１８】
2020117218.tif 000020
【図１９】
2020117218.tif 000021